(57)【要約】【課題】本発明は、固定式ガイドシューを用いても異常摩耗や異音の発生を防止することができるエレベータのガイドシュー据付調整方法を得ることを目的とするものである。【解決手段】固定式ガイドシュー５のうちの１つを選択して調整対象ガイドシューとする。そして、その調整対象ガイドシューを固定しているボルト６を緩めて仮止め状態とする。この後、釣合おもり２を所定区間走行させる。このような調整走行ステップでは、残りの固定式ガイドシュー５は、釣合おもり２に固定したままとする。この後、調整走行ステップを終了したときの位置でボルト６を締め付けて調整対象ガイドシューを固定する（本固定ステップ）。残りの固定式ガイドシュー５についても、同様の作業を行う。【選択図】図１
2011037547.tif 000002
【特許請求の範囲】
【請求項１】
昇降路内に設置された一対のガイドレールと、これらのガイドレールに案内されて前記昇降路内を昇降される昇降体と、固定具により前記昇降体に固定され、前記ガイドレールに係合する複数の固定式ガイドシューとを備えたエレベータにおいて、前記固定式ガイドシューの前記昇降体への固定位置を調整するためのエレベータのガイドシュー据付調整方法であって、
前記固定式ガイドシューのうちの少なくとも１つである調整対象ガイドシューを固定する前記固定具を緩めて、前記調整対象ガイドシューを前記昇降体の幅方向へ変位可能な状態とし、前記昇降体を所定区間走行させる調整走行ステップ、及び
前記調整走行ステップを終了したときの位置で前記調整対象ガイドシューを固定する本固定ステップ
を含むことを特徴とするエレベータのガイドシュー据付調整方法。
【請求項２】
前記調整走行ステップでは、前記固定式ガイドシューのうちの一部を前記調整対象ガイドシューとして選択し、残りの固定式ガイドシューは前記昇降体に固定したままとすることを特徴とする請求項１記載のエレベータのガイドシュー据付調整方法。
【請求項３】
前記固定式ガイドシューのうちの１つを前記調整対象ガイドシューとして選択して前記調整走行ステップ及び前記本固定ステップを行う作業を、前記調整対象ガイドシューを変えながら順次行うことを特徴とする請求項２記載のエレベータのガイドシュー据付調整方法。
【請求項４】
前記調整走行ステップでは、前記昇降体の幅方向以外の方向への前記調整対象ガイドシューの変位を規制することを特徴とする請求項１から請求項３までのいずれか１項に記載のエレベータのガイドシュー据付調整方法。
【請求項５】
前記昇降体の幅方向以外の方向への前記調整対象ガイドシューの変位を規制する変位規制部材を前記昇降体に固定することを特徴とする請求項４記載のエレベータのガイドシュー据付調整方法。
【発明の詳細な説明】
【技術分野】
【０００１】
この発明は、釣合おもりやかごに対する固定式ガイドシューの固定位置を調整するためのエレベータのガイドシュー据付調整方法に関するものである。
【背景技術】
【０００２】
従来のエレベータ用防振ゴム形ガイドシューでは、シューが防振ゴムを介して枠に取り付けられている。そして、ガイドレールの曲がりが防振ゴムの撓みで吸収される（例えば、特許文献１参照）。
【先行技術文献】
【特許文献】
【０００３】
【特許文献１】特開昭５２−１１６５５０号公報
【発明の概要】
【発明が解決しようとする課題】
【０００４】
上記のような従来の防振ゴム形ガイドシューは、防振構造を持たない単純な固定式ガイドシューに比べて高価であるため、一般的に、乗り心地を向上させる必要のあるかご側にのみ適用されており、釣合おもり側には固定式ガイドシューが適用されている。一方、かごや釣合おもりの昇降を案内するガイドレールは微小な反りを持つため、ガイドレールの間隔は上下方向の位置によって僅かながら異なっている。このため、かごの走行時にガイドレールの間隔が狭い場所を釣合おもりが通過すると、ガイドレールに対して固定式ガイドシューが過度に押し付けられて異常磨耗したり、スティックスリップによる異音が発生したりすることがあった。
【０００５】
この発明は、上記のような課題を解決するためになされたものであり、固定式ガイドシューを用いても異常摩耗や異音の発生を防止することができるエレベータのガイドシュー据付調整方法を得ることを目的とする。
【課題を解決するための手段】
【０００６】
この発明に係るエレベータのガイドシュー据付調整方法は、昇降路内に設置された一対のガイドレールと、これらのガイドレールに案内されて昇降路内を昇降される昇降体と、固定具により昇降体に固定され、ガイドレールに係合する複数の固定式ガイドシューとを備えたエレベータにおいて、固定式ガイドシューの昇降体への固定位置を調整するための方法であって、固定式ガイドシューのうちの少なくとも１つである調整対象ガイドシューを固定する固定具を緩めて、調整対象ガイドシューを昇降体の幅方向へ変位可能な状態とし、昇降体を所定区間走行させる調整走行ステップ、及び調整走行ステップを終了したときの位置で調整対象ガイドシューを固定する本固定ステップを含む。
【発明の効果】
【０００７】
この発明のエレベータのガイドシュー据付調整方法は、調整対象ガイドシューを昇降体の幅方向へ変位可能な状態とし、昇降体を所定区間走行させることで、ガイドレールに対して過度に押し付けられない位置に調整対象ガイドシューを微小移動させ、その位置で調整対象ガイドシューを固定することができ、これにより固定式ガイドシューを用いても異常摩耗や異音の発生を防止することができる。
【図面の簡単な説明】
【０００８】
【図１】この発明の実施の形態１によるガイドシュー据付調整方法が適用されるエレベータの釣合おもりを示す正面図である。
【図２】図１の固定式ガイドシューを拡大して示す断面図である。
【図３】図１の釣合おもりガイドレールに反りが生じた状態を示す正面図である。
【図４】この発明の実施の形態２によるガイドシュー据付調整方法を実施中の固定式ガイドシューを示す平面図である。
【図５】この発明の実施の形態３によるガイドシュー据付調整方法を実施中の固定式ガイドシューを示す平面図である。
【発明を実施するための形態】
【０００９】
以下、この発明を実施するための形態について、図面を参照して説明する。
実施の形態１．
図１はこの発明の実施の形態１によるガイドシュー据付調整方法が適用されるエレベータの釣合おもりを示す正面図である。図において、昇降路内には、一対の釣合おもりガイドレール１が設置されている。釣合おもり２は、釣合おもりガイドレール１に案内されて昇降路内を昇降される。釣合おもり２は、おもり枠３と、おもり枠３内に積層された複数のおもり板４とを有している。
【００１０】
おもり枠３には、釣合おもりガイドレール１に係合する複数（ここでは４個）の固定式ガイドシュー５が設けられている。固定式ガイドシュー５は、おもり枠３の上部の幅方向両端部と、おもり枠３の下部の幅方向両端部とにそれぞれ配置されている。また、各固定式ガイドシュー５は、固定具としての複数のボルト６（図４）によりおもり枠３に固定されている。
【００１１】
おもり枠３の上部には、懸架手段である複数本の主索７の一端部が接続されている。釣合おもり２は、その重心で主索７により吊り下げられている。主索７の他端部は、かご（図示せず）に接続されている。主索７の中間部は、巻上機（図示せず）の駆動シーブに巻き掛けられている。かご及び釣合おもり２は、主索７により昇降路内に吊り下げられ、巻上機により昇降される。昇降路内には、かごの昇降を案内する一対のかごガイドレール（図示せず）も設置されている。
【００１２】
図２は図１の固定式ガイドシュー５を拡大して示す断面図である。釣合おもり２の幅方向（図１、図２の左右方向）の釣合おもりガイドレール１と固定式ガイドシュー５との間の寸法をａ（反力無しの状態で０〜数ｍｍ）、釣合おもり２の左右の固定式ガイドシュー５の摺動面間の距離をｂ、互いに対向する釣合おもりガイドレール１の先端部間の距離をｃとすると、ｃ≧ｂであれば、滑らかな摺動が期待できる。
【００１３】
しかし、実際には、図３に示すように、釣合おもりガイドレール１が微小な反りを持つため、釣合おもりガイドレール１が釣合おもり２側へ反っている場合、ｂ≧ｃの関係となり、釣合おもりガイドレール１の曲がりに追従できない固定式ガイドシュー５では、異常磨耗やスティックスリップが発生する可能性がある。
【００１４】
これに対して、実施の形態１のガイドシュー据付調整方法では、まず、固定式ガイドシュー５のうちの１つを選択して調整対象ガイドシューとする。そして、その調整対象ガイドシューを固定しているボルト６を緩めて仮止め状態とし、調整対象ガイドシューを釣合おもり２の幅方向へ変位可能な状態とする。この後、釣合おもり２を所定区間、ここでは最上階から最下階まで（又は最下階から最上階まで）走行（終端階走行）させる。
【００１５】
このように、調整対象ガイドシューを選択してから終端階走行させるまでの工程を調整走行ステップとする。調整走行ステップでは、残りの固定式ガイドシュー５（調整対象ガイドシュー以外の固定式ガイドシュー５）は、釣合おもり２に固定したままとする。
【００１６】
このような調整走行ステップでは、ｂ＞ｃとなる箇所を釣合おもり２が通過する際、固定式ガイドシュー５が釣合おもりガイドレール１から反力を受けてセンター方向へ微小移動され、ｂ＝ｃとなる。この後、調整走行ステップを終了したときの位置でボルト６を締め付けて調整対象ガイドシューを固定する（本固定ステップ）。
【００１７】
残りの固定式ガイドシュー５についても、同様の作業を行う。即ち、固定式ガイドシュー５のうちの１つを調整対象ガイドシューとして選択して調整走行ステップ及び本固定ステップを行う作業を、調整対象ガイドシューを変えながら順次行う。
【００１８】
このようなガイドシュー据付調整方法によれば、釣合おもりガイドレール１に対して過度に押し付けられない位置に調整対象ガイドシューを微小移動させ、その位置で調整対象ガイドシューを固定することができ、昇降行程の全ての場所でｃ≧ｂとなる。従って、固定式ガイドシュー５を用いても異常摩耗や異音の発生を防止することができる。
【００１９】
また、調整対象ガイドシュー以外の固定式ガイドシュー５を固定した状態で調整走行ステップを行うので、調整対象ガイドシュー以外の固定式ガイドシュー５により釣合おもり２を安定して案内することができ、釣合おもり２に前後方向への振れや捻りが生じるのを防止することができる。
【００２０】
なお、上記のガイドシュー据付調整方法を実施した場合、釣合おもりガイドレール１が釣合おもり２とは反対側へ反っている箇所では寸法ａが大きくなるが、反りの大きさ（例えば２ｍｍ程度）は釣合おもりガイドレール１への固定式ガイドシュー５の係合深さ（例えば４０ｍｍ程度）に対して十分に小さいため、寸法ａが多少大きくなっても問題はない。
【００２１】
実施の形態２．
次に、図４はこの発明の実施の形態２によるガイドシュー据付調整方法を実施中の固定式ガイドシュー５を示す平面図である。実施の形態２では、調整走行ステップにおいて、変位規制部材（案内部材）としての一対のガイド板（鉄板）８がおもり枠３に固定される。ガイド板８は、釣合おもり２の幅方向以外の方向への調整対象ガイドシューの変位を規制しつつ、釣合おもり２の幅方向への調整対象ガイドシューの移動を案内する。
【００２２】
また、おもり枠３には、釣合おもり２の幅方向への固定式ガイドシュー５の移動を規制するストッパ板９も固定される。ガイド板８及びストッパ板９は、ボルト固定や穴への挿入により一時的に設置する方式でも、溶接などで完全に固定する方式としてもよい。他の構成・手順は実施の形態１と同様である。
【００２３】
釣合おもりガイドレール１は、釣合おもり２の幅方向へ反っているだけではなく、Ｔ字型の先端に捻りが生じている場合がある。このような場合、単にボルト６を緩めて調整走行ステップを実施すると、調整対象ガイドシューが釣合おもりガイドレール１に追従して、調整対象ガイドシューに捻りが加わることになる。これに対して、実施の形態２では、おもり枠３にガイド板８を固定するので、調整対象ガイドシューに捻りが生じるのが防止される。
【００２４】
実施の形態３．
次に、図５はこの発明の実施の形態２によるガイドシュー据付調整方法を実施中の固定式ガイドシュー５を示す平面図である。実施の形態３では、変位規制部材として、実施の形態２のガイド板８の代わりに、複数のガイドピン１０が用いられている。また、実施の形態２のストッパ板９の代わりに、複数のストッパピン１１が用いられている。他の構成・手順は実施の形態２と同様である。
【００２５】
このようなストッパピン１１を用いた場合も、実施の形態２と同様に、調整対象ガイドシューに捻りが生じるのが防止される。
【００２６】
なお、実施の形態１〜３では、固定式ガイドシュー５の中の１つずつを調整対象ガイドシューとして選択して順次調整を行ったが、釣合おもり２を安定して走行させることができれば２つ以上の固定式ガイドシュー５を同時に選択して調整してもよい。
また、実施の形態１〜３では、釣合おもり２に固定式ガイドシュー５を固定する場合の据付調整方法について述べたが、かごに固定式ガイドシュー５を固定する場合にもこの発明の据付調整方法を適用できる。
さらに、実施の形態１〜３では、調整走行ステップで釣合おもり２に昇降路の全体を走行させたが、例えば反りの生じる範囲が限定できる場合など、昇降路の一部の区間のみを走行させてもよい。
さらにまた、この発明の据付調整方法は全ての固定式ガイドシュー５に対して実施するのが好適であるが、一部の固定式ガイドシュー５のみに適用してもある程度の効果を得ることができる。
【符号の説明】
【００２７】
１  釣合おもりガイドレール、２  釣合おもり、５  固定式ガイドシュー、６  ボルト（固定具）、８  ガイド板（変位規制部材）、１０  ガイドピン（変位規制部材）。
【図１】
2011037547.tif 000003
【図２】
2011037547.tif 000004
【図３】
2011037547.tif 000005
【図４】
2011037547.tif 000006
【図５】
2011037547.tif 000007